(57)【特許請求の範囲】
【請求項１】
フォトニックネットワークを構成する光ノードに用いられる光スイッチシステムであって、
前記光スイッチシステムの機能を、
光パスの分岐又は方路切替を行う分岐側方路切替SW機能部、
光パスの挿入又は方路切替を行う合流側方路切替SW機能部、
前記分岐側方路切替SW機能部で分岐した光パスを、受信機が接続されたポートに接続する分岐側波長割当SW機能部、及び、
送信機が接続されたポートから入力された光パスを、前記合流側方路切替SW機能部に接続する合流側波長割当SW機能部
に分類する管理モデルを用いて前記光スイッチシステムの管理制御を行う制御手段を有し、
前記制御手段は、
前記光スイッチシステム内の管理制御を前記管理モデル上で行う制御機能部と、
前記管理モデル上の各機能部別に論理的な管理制御を行い、前記制御機能部の制御対象となる管理モデル機能部と、
前記光スイッチシステムにおける前記管理モデル上の各機能部に対応する物理構成の情報を保持し、物理構成と前記管理モデル上の各機能部との間の変換を行う物理構成依存吸収機能部と
を備え、
前記制御手段は、前記光スイッチシステムの各機能部に対する制御手順を表す手順情報を保持し、当該手順情報に従った手順で、各機能部に対する制御を行う光スイッチ制御部であり、
前記管理モデル機能部が、前記制御機能部からパス設定要求を受信し、設定すべき入出力ポート番号を抽出し、入出力ポート間でパス設定可能か否かを判断し、設定可能であるパスの設定要求を前記物理構成依存吸収機能部に送信し、当該物理構成依存吸収機能部が、設定すべき光デバイスとその光デバイスの入出力ポート番号を抽出する
ことを特徴とする光スイッチシステム。
【請求項２】
前記光スイッチシステムにおける前記制御手段は、前記光スイッチシステムの設定状態遷移条件を表す設定状態遷移情報を保持し、当該設定状態遷移情報に従って、設定状態遷移を行う
ことを特徴とする請求項１に記載の光スイッチシステム。
【請求項３】
フォトニックネットワークを構成する光ノードに用いられる光スイッチシステムの管理制御を行う光スイッチシステム管理制御装置であって、
前記光スイッチシステムの機能を、
光パスの分岐又は方路切替を行う分岐側方路切替SW機能部、
光パスの挿入又は方路切替を行う合流側方路切替SW機能部、
前記分岐側方路切替SW機能部で分岐した光パスを、受信機が接続されたポートに接続する分岐側波長割当SW機能部、及び、
送信機が接続されたポートから入力された光パスを、前記合流側方路切替SW機能部に接続する合流側波長割当SW機能部
に分類する管理モデルを用い、
前記光スイッチシステム内の管理制御を前記管理モデル上で行う制御機能部と、
前記管理モデル上の各機能部別に論理的な管理制御を行い、前記制御機能部の制御対象となる管理モデル機能部と、
前記光スイッチシステムにおける前記管理モデル上の各機能部に対応する物理構成の情報を保持し、物理構成と前記管理モデル上の各機能部との間の変換を行う物理構成依存吸収機能部とを備え、
前記光スイッチシステムの各機能部に対する制御手順を表す手順情報を保持し、当該手順情報に従った手順で、各機能部に対する制御を行うことで前記光スイッチシステムの管理制御を行う光スイッチシステム管理制御装置であり、
前記管理モデル機能部が、前記制御機能部からパス設定要求を受信し、設定すべき入出力ポート番号を抽出し、入出力ポート間でパス設定可能か否かを判断し、設定可能であるパスの設定要求を前記物理構成依存吸収機能部に送信し、当該物理構成依存吸収機能部が、設定すべき光デバイスとその光デバイスの入出力ポート番号を抽出する
ことを特徴とする光スイッチシステム管理制御装置。
【請求項４】
フォトニックネットワークを構成する光ノードに用いられる光スイッチシステムにおける管理制御方法であって、
前記光スイッチシステムの機能を、
光パスの分岐又は方路切替を行う分岐側方路切替SW機能部、
光パスの挿入又は方路切替を行う合流側方路切替SW機能部、
前記分岐側方路切替SW機能部で分岐した光パスを、受信機が接続されたポートに接続する分岐側波長割当SW機能部、及び、
送信機が接続されたポートから入力された光パスを、前記合流側方路切替SW機能部に接続する合流側波長割当SW機能部
に分類する管理モデルを用い、
前記光スイッチシステム内の管理制御を前記管理モデル上で行う制御機能部が、設定制御要求を受信するステップと、
前記管理モデル上の各機能部別に論理的な管理制御を行い、前記制御機能部の制御対象となる管理モデル機能部が、前記制御機能部から、各機能部別の設定制御要求を受信するステップと、
前記光スイッチシステムにおける前記管理モデル上の各機能部に対応する物理構成の情報を保持し、物理構成と前記管理モデル上の各機能部との間の変換を行う物理構成依存吸収機能部が、前記管理モデル機能部から設定制御要求を受信し、当該設定制御要求に基づき、設定対象となる機能部の物理構成を抽出するステップとを有し、
前記光スイッチシステムの各機能部に対する制御手順を表す手順情報を保持し、当該手順情報に従った手順で、各機能部に対する制御を行うことで前記光スイッチシステムの管理制御を行う管理制御方法であり、
前記管理モデル機能部が、前記制御機能部からパス設定要求を受信し、設定すべき入出力ポート番号を抽出し、入出力ポート間でパス設定可能か否かを判断し、設定可能であるパスの設定要求を前記物理構成依存吸収機能部に送信し、当該物理構成依存吸収機能部が、設定すべき光デバイスとその光デバイスの入出力ポート番号を抽出する
ことを特徴とする管理制御方法。
【発明の詳細な説明】
【技術分野】
【０００１】
本発明は、フォトニックNWにおける光ノードを構成する光スイッチシステムに関するものである。
【背景技術】
【０００２】
図１に、従来のフォトニックＮＷの構成例を示す。図１に示すように、フォトニックNWは、複数の光ノード、光ノード間を接続する光ファイバで構成される。
【０００３】
フォトニックＮＷを介してクライアント信号を転送する場合には、信号を送信する光ノードにてクライアント信号を光信号に変換して、変換した光信号を、上記送信する光ノードから、光信号を受信する光ノードまで電気に変換することなく転送して、当該受信する光ノードにて光信号からクライアントの信号に変換する。この際、送信光ノードから受信光ノードまでの光信号の経路を光パスと呼び、光信号を光パス信号と呼ぶ。
【０００４】
図１のフォトニックNWでは光ノードにROADM（Reconfigurable Optical Add/Drop Multiplexer）ノードを用いている。ROADMノードは、隣接したROADMノードから転送された波長多重信号(WDM信号)から、波長単位で光パス信号の分岐・挿入を行い、別の隣接したROADMノードに波長多重信号を転送できるノードである。ROADMノードには、2つの隣接したROADMノードと接続できる2-degree ROADM と、3つ以上の隣接したROADMノードと接続できるMulti-degree ROADM があり、これらのROADMノードにより、リングNW、マルチリングNW、メッシュNWを構築することができる。なお、2-degree ROADM、Multi-degree ROADM等におけるdegree とは方路数の意味であり、当該 ROADMノードが接続できる隣接したROADMノードの数に相当する。
【０００５】
図２に、従来のMulti-degree ROADMノードの構成例を示す。図２に示すように、このMulti-degree ROADMノードは、隣接ノードに送信する、又は、隣接ノードから受信したWDM信号を増幅する光アンプ１と、クライアント信号を光パス信号に変換して送信する送信機２と、光パス信号を受信してクライアント信号に変換する受信機３と、光パス信号の経路を切替える手段で構成される。
【０００６】
図２に示す構成例では、光パス信号の経路を切替える手段として、光カプラ４、1x9 WSS５、及び、9x1 WSS６を用いている。ここでWSS(Wavelength Selective Switch：波長選択スイッチ)とは、各入出力ポートにおいてWDM信号を入出力して、スイッチ内では波長単位で入力又は出力ポートを選択することができるスイッチである。入力1ポート出力9ポートのWSSが1x9 WSS であり、入力9ポート出力1ポートのWSSが9x1 WSS である。
【０００７】
図２に示す構成例では、送信機２において任意の波長の光パス信号を送信し、且つ、受信機３において任意の波長の光パス信号を受信できるカラーレス機能を備えている。なお、光ノードの構成としては、図２に示す構成のほか、カラーレス機能の無いROADMノードや、2-degree のROADMノードが報告されている。
【先行技術文献】
【非特許文献】
【０００８】
【非特許文献１】E. Bert. Basch, et.al, "Architectural Tradeoffs for Reconfigurable Dense Wavelength-Division Multiplexing Systems", IEEE J. of selected topics in Quantum electronics. Vol. 12 , No.4, JULY/AUGUST 2006
【発明の概要】
【発明が解決しようとする課題】
【０００９】
光ノード製造者は、光スイッチから製造して光ノードを作製する場合もあるが、通常、光スイッチ製造者から光スイッチを１つ、又は複数組み合わせた光スイッチシステムの提供を受けて、光ノードを製造する。しかしながら、この光スイッチシステムについて、以下の課題がある。
【００１０】
（１）ROADMノードのDegree 数が変わると、又、各種機能(カラーレス機能、ディレクションレス機能等)の有無によりノード構成が変わり、ROADMノードに用いられる光スイッチシステムの構成も変更になる。又、Degree数、各種機能の有無が同じであっても、図2の構成において、光カプラ４の代わりにWSS を用いる等、別の構成によりノードを作製する場合もあり、その場合、光スイッチシステムの構成も変更になる。
【００１１】
（２）ROADMノードの運用形態により、光スイッチシステムに必要な機能、制御が異なってくる。
【００１２】
このように、必要とされる光スイッチシステムが構成、及び、機能、制御の点で多様化すると、光スイッチシステム製造者は、光スイッチシステムを、光ノードに応じてそれぞれ別々に設計・製造する必要があり、コスト、時間ともに莫大なものになる。又、NWの運用形態が多様化しており、NW運用側で運用形態の変更を必要とする場合も発生するが、従来技術においては、光スイッチシステムの再設計・再製造を行う必要があり、運用形態の変更に時間、コストを要していた。
【００１３】
本発明は、このような課題に鑑みてなされたものであり、様々な構成、又、様々な機能・制御の光スイッチシステムを低コスト、短時間で設計・製造を行うことができ、且つ、多様化するNWの運用形態に対して柔軟に対応できる光スイッチシステムを実現することを目的とする。
【課題を解決するための手段】
【００１８】
上記の課題を解決するために、本発明は、フォトニックネットワークを構成する光ノードに用いられる光スイッチシステムであって、前記光スイッチシステムの機能を、光パスの分岐又は方路切替を行う分岐側方路切替SW機能部、光パスの挿入又は方路切替を行う合流側方路切替SW機能部、前記分岐側方路切替SW機能部で分岐した光パスを、受信機が接続されたポートに接続する分岐側波長割当SW機能部、及び、送信機が接続されたポートから入力された光パスを、前記合流側方路切替SW機能部に接続する合流側波長割当SW機能部に分類する管理モデルを用いて前記光スイッチシステムの管理制御を行う制御手段を有し、前記制御手段は、前記光スイッチシステム内の管理制御を前記管理モデル上で行う制御機能部と、前記管理モデル上の各機能部別に論理的な管理制御を行い、前記制御機能部の制御対象となる管理モデル機能部と、前記光スイッチシステムにおける前記管理モデル上の各機能部に対応する物理構成の情報を保持し、物理構成と前記管理モデル上の各機能部との間の変換を行う物理構成依存吸収機能部とを備え、前記制御手段は、前記光スイッチシステムの各機能部に対する制御手順を表す手順情報を保持し、当該手順情報に従った手順で、各機能部に対する制御を行う光スイッチ制御部であり、前記管理モデル機能部が、前記制御機能部からパス設定要求を受信し、設定すべき入出力ポート番号を抽出し、入出力ポート間でパス設定可能か否かを判断し、設定可能であるパスの設定要求を前記物理構成依存吸収機能部に送信し、当該物理構成依存吸収機能部が、設定すべき光デバイスとその光デバイスの入出力ポート番号を抽出することを特徴とする光スイッチシステムとして構成してもよい。
【００１９】
また、前記光スイッチシステムにおける前記制御手段は、前記光スイッチシステムの設定状態遷移条件を表す設定状態遷移情報を保持し、当該設定状態遷移情報に従って、設定状態遷移を行うように構成してもよい。
【００２０】
また、本発明は、フォトニックネットワークを構成する光ノードに用いられる光スイッチシステムの管理制御を行う光スイッチシステム管理制御装置であって、前記光スイッチシステムの機能を、光パスの分岐又は方路切替を行う分岐側方路切替SW機能部、光パスの挿入又は方路切替を行う合流側方路切替SW機能部、前記分岐側方路切替SW機能部で分岐した光パスを、受信機が接続されたポートに接続する分岐側波長割当SW機能部、及び、送信機が接続されたポートから入力された光パスを、前記合流側方路切替SW機能部に接続する合流側波長割当SW機能部に分類する管理モデルを用い、前記光スイッチシステム内の管理制御を前記管理モデル上で行う制御機能部と、前記管理モデル上の各機能部別に論理的な管理制御を行い、前記制御機能部の制御対象となる管理モデル機能部と、前記光スイッチシステムにおける前記管理モデル上の各機能部に対応する物理構成の情報を保持し、物理構成と前記管理モデル上の各機能部との間の変換を行う物理構成依存吸収機能部とを備え、前記光スイッチシステムの各機能部に対する制御手順を表す手順情報を保持し、当該手順情報に従った手順で、各機能部に対する制御を行うことで前記光スイッチシステムの管理制御を行う光スイッチシステム管理制御装置であり、前記管理モデル機能部が、前記制御機能部からパス設定要求を受信し、設定すべき入出力ポート番号を抽出し、入出力ポート間でパス設定可能か否かを判断し、設定可能であるパスの設定要求を前記物理構成依存吸収機能部に送信し、当該物理構成依存吸収機能部が、設定すべき光デバイスとその光デバイスの入出力ポート番号を抽出することを特徴とする光スイッチシステム管理制御装置として構成することもできる。
【００２１】
また、本発明は、上記の光スイッチシステムもしくは光スイッチシステム管理制御装置により行われる管理制御方法として構成することもできる。
【発明の効果】
【００２２】
本発明によれば、様々な構成、又、様々な機能・制御の光スイッチシステムを低コスト、短時間で設計・製造を行うことができ、且つ、多様化するNWの運用形態に対して柔軟に対応できる光スイッチシステムを実現することが可能となる。
【図面の簡単な説明】
【００２３】
【図１】従来のフォトニックＮＷの構成例を示す図である。
【図２】従来のMulti-degree ROADMノード１０の構成例を示す図である。
【図３Ａ】光ノードの構成の一例を示す図である。
【図３Ｂ】光ノードの構成の一例を示す図である。
【図４】光ノード３００の管理モデルを示す図である。
【図５】光スイッチシステムに対する管理モデルの適用を説明するための図である。
【図６Ａ】管理モデル適用例１を示す図である。
【図６Ｂ】管理モデル適用例２を示す図である。
【図６Ｃ】管理モデル適用例３を示す図である。
【図６Ｄ】管理モデル適用例４を示す図である。
【図６Ｅ】管理モデル適用例５を示す図である。
【図７Ａ】管理モデルを適用した光スイッチシステムの構成例を示す図である。
【図７Ｂ】管理モデルを適用した光スイッチシステムの詳細構成例を示す図である。
【図８】管理モデルを適用した場合の光パス設定手順の一例を示すシーケンス図である。
【図９】光スイッチシステムにモニタ機能を含む場合における管理モデルの適用例を説明するための図である。
【図１０】光スイッチシステムにモニタ機能を含む場合における管理モデルの適用例を説明するための図である。
【図１１】各機能部に対する制御手順を記載したテーブルの例を示す図である。
【図１２】管理モデルを適用した光スイッチシステムの例を示す図である。
【図１３】状態遷移の条件を記載したテーブルの例を示す図である。
【発明を実施するための形態】
【００２４】
以下、図面を参照して本発明の実施の形態である実施例１〜実施例６を説明する。以下では、各実施例を分けて説明するが、これらの実施例は互いに組み合わせることが可能である。
【００２５】
（実施例1）
[光ノード構成,光スイッチシステム構成]
図３A、図３Bはそれぞれ、光ノードの構成の一例として、カラーレス機能を有する方路数３のMulti-degree ROADM のノード構成を示す図である。
【００２６】
図３A、図３Bに示す光ノード１００、２００は、光信号の送受信等を行うための構成として、いずれも、光アンプ、1x9 WSS、9x1 WSS、受信機、送信機を含む。
【００２７】
また、光ノード１００、２００は、光ノード全体を管理するノード管理制御部１１０、２１０を備え、ノード管理制御部から、送信機、受信機、光アンプ、光スイッチ等の制御を行う。ただし、通常、ノード管理制御部から全ての光スイッチを個別に制御を行わず、１つ、又は、複数の光スイッチをまとめた光スイッチシステムとして、ノード管理制御部からは光スイッチシステムに対して制御を行いノード管理制御部の処理の負荷を低減させる。尚、ノード管理制御部は、必ずしも光ノード内に備える必要はなく、光ノードの外部に備え、データ通信ネットワークを介して光ノードと接続する構成としてもよい。
【００２８】
光スイッチシステムにおける光スイッチの組み合わせ方法は様々であり、図３Aの構成では、光ノード１００内にある全ての光スイッチをまとめて一つの光スイッチシステム１０１としており、図３Bの構成では、方路毎に１つの光スイッチシステムを設けており、この例では、光スイッチシステム２０１、２０２、２０３が備えられている。
【００２９】
光スイッチシステムは、光スイッチシステムの中にある１つ、あるいは、複数の光スイッチを管理、制御する光スイッチ制御部を有し、ノード管理制御部はこの光スイッチ制御部と通信を行い、各光スイッチシステムの制御を行う。図３Aの構成では、光スイッチシステム１０１に光スイッチ制御部１１１が備えられ、図３Bの構成では、光スイッチシステム２０１、２０２、２０３に、光スイッチ制御部２１１、２１２、２１３が備えられている。尚、光スイッチ制御部は、必ずしも光スイッチシステム内に備える必要はなく、光スイッチシステムの外部に備え、データ通信ネットワークを介して光スイッチシステムと接続する構成としてもよい。
【００３０】
[管理モデル]
図４は光ノード３００の管理モデルを示している。管理モデルとは、光ノードを管理制御するにあたって、光ノードが備える機能構成を複数の機能に分類したモデルである。この管理モデルで分類された機能構成に基づき、光ノード３００の管理制御が行われる。管理モデルを用いた管理制御の内容については、後の実施例において詳細に説明される。
【００３１】
図４に示すように、本実施例における管理モデルに基づき、光ノード３００の機能は、
（１）隣接ノードから受信した波長多重信号を増幅、及び、隣接ノードへ送信する波長多重信号を増幅するアンプ機能部１０；
（２）クライアント信号を光パス信号へ変換する送信機能部２０；
（３）光パス信号をクライアント信号へ変換する受信機能部３０；
（４）光パス信号の品質を測定するモニタ機能部４０；
（５）隣接ノードから受信した波長多重信号から、光パス信号単位（波長単位）で、受信機能部３０へ送る（分岐）又は異なる隣接ノードへ送る（方路切替）設定を行う方路切替SW(分岐)機能部５０；
（６）隣接ノードへ送信する波長多重信号として、光パス信号単位で、送信機能部２０から送られた信号を選択（挿入）、又は、隣接ノードから受信した信号を選択（方路切替）する設定を行う方路切替SW(合流)機能部６０；
（７）方路切替SW(分岐)機能部５０で分岐した光パス信号を、その光パス信号が受信する受信機が接続されたポートに接続する波長割当SW（分岐）機能部７０；
（８）送信機が接続されたポートから入力された光パス信号を、方路切替SW(合流)機能部に接続する波長割当SW（合流）機能部８０；
に分類される。
【００３２】
図４の中で、図３Aにおける光スイッチシステム１０１に相当する部分を、光スイッチシステム３１０として点線で示している。光スイッチシステム３１０は、方路切替SW(分岐)機能部５０、方路切替SW(合流)機能部６０、波長割当SW（分岐）機能部７０、及び、波長割当SW（合流）機能部８０の４つの機能を含む。尚、光スイッチシステム３１０に光アンプを含む場合はさらにアンプ機能部１０を含むことになり、光スイッチシステム３１０に光パス信号の品質測定機能を含む場合はさらにモニタ機能部４０を含むことになる。
【００３３】
又、図４では、光ノード３１０内における各機能部の光信号（光パス信号、又は光パス信号を波長多重した信号）の入出力ポートを示している。各SW機能部(５０、６０、７０、８０)の入出力ポートとしては、
（Ａ）入力方路：方路切替SW（分岐）機能部５０の入力；
（Ｂ）ＸＣ用出力方路：方路切替SW（分岐）機能部５０の出力（方路切替SW（合流）機能部６０側）；
（C）ＸＣ用入力方路：方路切替SW（合流）機能部６０の入力（方路切替SW（分岐）機能部５０側）；
（D）出力方路：方路切替SW（合流）機能部６０の出力；
（E）受信ポート：波長割当SW（分岐）機能部７０の出力；
（F）送信ポート：波長割当SW（合流）機能部８０の入力；
（G）分岐用出力方路：方路切替SW（分岐）機能部５０の出力（波長割当SW（分岐）機能部７０側）；
（H）挿入用入力方路：方路切替SW（合流）機能部６０の入力（波長割当SW（合流）機能部８０側）；
（Ｉ）分岐用入力方路：波長割当SW（分岐）機能部７０の入力；
（Ｊ）挿入用出力方路：波長割当SW（合流）機能部８０の出力；
がある。
【００３４】
尚、図４の光スイッチシステム３１０では、光スイッチシステム３１０の入出力ポートとして、（Ａ）入力方路１〜Ｎ（Ｎは方路数）、（Ｄ）出力方路１〜Ｎ（Ｎは方路数）、（Ｅ）受信ポート１〜Ｍ（Ｍは接続可能な受信機の個数）、（Ｆ）送信ポート１〜Ｍ （Ｍは接続可能な送信機の個数）で管理することになる。
【００３５】
図３Bの構成例のように光スイッチシステムが方路毎にある場合の管理モデル適用例を図５に示す。図４に記載の光スイッチシステムと同様に、この光スイッチシステムは、方路切替SW(分岐)機能部５０、方路切替SW(合流)機能部６０、波長割当SW（分岐）機能部７０、波長割当SW（合流）機能部８０の４つの機能部を有する。又、光信号の入出力ポートとしては、（Ａ）入力方路、（Ｄ）出力方路はそれぞれ１本となり、（Ｅ）受信ポート１〜Ｍ（Ｍは接続可能な受信機の個数）、（Ｆ）送信ポート１〜Ｍ （Ｍは接続可能な送信機の個数）の他、（Ｂ）XC用出力方路１〜Ｎ(Nは方路数)、（Ｃ）XC用入力方路１〜Ｎ(Nは方路数)で管理することになる。
【００３６】
以下、様々な形態の光スイッチシステムに対しても本発明に係る管理モデルが適用できることを、例をあげて説明する。
【００３７】
[適用例1: 方路数M、カラーレス機能有りの場合]
図６Aは方路数Ｍ（＝３）、カラーレス機能がある場合のノードにおいて、方路毎に光スイッチシステムがある場合を示している（図３Bと同一）。この場合、図中、1x9 WSS(1) を方路切替SW(分岐)機能部５０、9x1 WSS(2) は方路切替SW(合流)機能部６０、1x9 WSS(2), 及び 1x9 WSS(3) は波長割当SW（分岐）機能部７０、9x1 WSS(2),及び 9x1 WSS(3) は波長割当SW（合流）機能部８０として管理する。そして、管理モデル上、光スイッチシステムとしては、入力ポートは入力方路（Ａ）、XC用入力方路（Ｃ）、送信ポート（Ｆ）で指定し、出力ポートは出力方路（Ｄ）、XC用出力方路（Ｂ）、受信ポート（Ｅ）で指定する。
【００３８】
[適用例2: 方路数M、カラーレス機能無しの場合]
図６Bは方路数Ｍ（＝３）、カラーレス機能が無い場合のノードにおいて、方路毎に光スイッチシステムがある場合を示している。この場合、図中、1x9 WSS を方路切替SW(分岐)機能部５０、9x1 WSS は方路切替SW(合流)機能部６０、AWG(1)は波長割当SW（分岐）機能部７０、AWG(2) は波長割当SW（合流）機能部８０として管理する。そして、管理モデル上、光スイッチシステムとしては、入力ポートは入力方路（Ａ）、XC用入力方路（Ｃ）、送信ポート（Ｆ）で指定し、出力ポートは出力方路（Ｄ）、XC用出力方路（Ｂ）、受信ポート（Ｅ）で指定する。
【００３９】
[適用例3: 方路数2, カラーレス機能有りの場合]
図６Cは方路数2、カラーレス機能がある場合のノードにおいて、方路毎に光スイッチシステムがある場合を示している。この場合、図中、光アンプ直後の1x2 光カプラが方路切替SW(分岐)機能部５０、2x1 WSSは方路切替SW(合流)機能部６０、1x9 WSSは波長割当SW（分岐）機能部７０、9x1 WSSは波長割当SW（合流）機能部８０（Ａ）として管理する。そして、管理モデル上、光スイッチシステムとしては、入力ポートは入力方路（Ａ）、XC用入力方路（Ｃ）、送信ポート（Ｆ）で指定し、出力ポートは出力方路（Ｄ）、XC用出力方路（Ｂ）、受信ポート（Ｅ）で指定する。
【００４０】
[適用例4: 方路数M, カラーレス/ディレクションレス機能有りの場合]
図６Dは方路数M(=3)、カラーレス及びディレクションレス機能がある場合のノードにおいて、図のように光スイッチシステム１、光スイッチシステム２を構成した場合の例を示している。ここでディレクションレス機能とは、受信機において任意の入力方路から入力された光パス信号を受信でき、且つ、送信機において任意の出力方路に光パス信号を送信できる機能である。
【００４１】
適用例１〜３と異なる点は、適用例１〜３は４つの機能部全てを有していたのに対して、光スイッチシステム１が、方路切替SW(分岐)機能部５０、方路切替SW(合流)機能部６０のみを有し、光スイッチシステム２が、波長割当SW（分岐）機能部７０、波長割当SW（合流）機能部８０のみを有する点が異なっている。
【００４２】
図６Ｄに示すとおり、光スイッチシステム１は、1x9 WSSを方路切替SW(分岐)機能部５０、9x1 WSS を方路切替SW(合流)機能部６０として管理する。そして、管理モデル上、入力ポートは入力方路（Ａ）、XC用入力方路（Ｃ）、挿入用入力方路（Ｈ）で指定し、出力ポートは出力方路（Ｄ）、XC用出力方路（Ｂ）、分岐用出力方路（Ｇ）で指定する。
【００４３】
光スイッチシステム２は、1x9 WSS(1), 及び 9x1 WSS(1) は波長割当SW（合流）機能部７０、9x1 WSS(2),及び 1x9 WSS(2) は波長割当SW（分岐）機能部８０として管理する。そして、管理モデル上、入力ポートは分岐用入力方路（Ｉ）、送信ポート（Ｆ）で指定し、出力ポートは受信ポート（Ｅ）、挿入用出力方路（Ｊ）で指定する。
【００４４】
[適用例5: 方路切替機能と波長割当機能が同一デバイスで実現している場合]
図６Eは方路数M(=3)、カラーレス機能がある場合のノードの別構成の例を示している。適用例１と異なる点は、ポート数が多いWSSを用いて方路切替用と波長割当用を同一のWSSを用いて実現している点である。このようなノード構成の場合、1xN WSSを方路切替SW(分岐) 機能部５０とし、出力ポートの一部を波長割当SW（分岐)機能部７０として管理して、Nx1 WSSを方路切替SW(合流)機能部６０とし、入力ポートの一部を波長割当SW（合流)機能部８０として管理する。
【００４５】
以上のように光スイッチシステムに管理モデルを適用することで、様々な形態の光スイッチシステムに対して統一的に制御管理を行うことが可能となる。この為、光スイッチシステムの構成・機能・制御が変更されても、同一の光スイッチシステムの制御管理を実現でき、光スイッチシステムの設計・製造のコスト削減と時間短縮を実現することができる効果を奏する。
（実施例2）
[光スイッチシステム内部構成]
続いて、実施例１で説明した管理モデルを適用した際の光スイッチシステムの構成を説明する。図７A、７Ｂは管理モデルを用いた際の光スイッチシステムの構成を示している。
【００４６】
図７Ａの例では、複数の光スイッチシステム４０１、４０２が備えられ、これらがノード管理制御部５００と接続される。図７Ｂの例では、１つの光スイッチシステム４００が備えられ、これがノード管理制御部５００と接続される。ノード管理制御部５００から光スイッチシステムの制御管理が行われる。
【００４７】
尚、管理モデルは光スイッチシステムに閉じたモデルではなく、光ノード全体に対して適用できるモデルである。この為、ノード管理制御部５００から複数の光スイッチシステムを制御する際に、各々の光スイッチシステムに閉じた入出力ポート番号ではなく、ノード全体における入出力ポート番号で指定することができる。例えば、適用例１の場合、それぞれの光スイッチシステムの入力方路（Ａ）（又は出力方路（Ｄ））に対して１，２，３・・・と番号を付与することにより、光スイッチシステム単体としては入力方路（Ａ）（出力方路（Ｄ））の番号が異なるのみで他の内部処理は同じでよく、ノード管理制御部５００としては各光スイッチシステムの入力方路（出力方路）の番号によりどの光スイッチシステムを制御すれば良いかが識別できる。つまり、管理モデルの適用により、複数の光スイッチシステムを統一的に管理できるようになる。
【００４８】
続いて、図７Ａ、７Ｂに示した各光スイッチシステムの構成を説明する。各光スイッチシステム内の機能構成は同じであるため、ここでは、詳細構成が示された図７Ｂを参照して説明する。光スイッチシステム４００は、IF機能部４１０、制御機能部４２０、管理モデル制御部４３０、物理構成依存吸収機能部４４０、デバイス依存吸収機能部４５０、デバイス４６０から構成される。尚、IF機能部４１０、制御機能部４２０、管理モデル制御部４３０、物理構成依存吸収機能部４４０、デバイス依存吸収機能部４５０で、図３Ａ，３Ｂに例示した制御手段である光スイッチ制御部を構成している。光スイッチ制御部は、光スイッチシステム管理制御装置と称することもできる。
【００４９】
IF機能部４１０は、ノード管理制御部５００のIF機能部５１０と通信を行う機能部である。
【００５０】
制御機能部４２０は、光スイッチシステム４００の状態管理、制御を行う機能部である。具体的には、ノード管理制御部５００からの要求に対して、光パス設定・削除等の光スイッチシステム４００の制御を行ったり、光スイッチシステム４００の状態（故障監視情報、性能監視情報）を通知したりする。尚、本実施例では、制御機能部４２０では、光スイッチシステム４００内の物理構成やデバイスに依存せず、ノード管理モデルだけで論理的に制御・管理を行う。
【００５１】
管理モデル機能部４３０では、光スイッチシステム４００における管理モデル上の各機能部別の制御管理を行う。管理モデル機能部４３０では光スイッチシステム４００内の物理構成やデバイスに依存せず、入出力ポート、機能の有無等の論理的なパラメータのみに依存する制御・管理を行う。
【００５２】
物理構成依存吸収機能部４４０は、各機能部を実現する物理構成の情報を保持する。例えば、方路切替(分岐)SW機能部５０を実現する物理構成として、WSSを用いる方法、光カプラを用いる方法等、様々な物理構成に対して、管理モデル上の各機能部をどのような物理構成で実現しているかの情報を保持する。そして、管理モデル機能部４３０からの管理モデル上での情報を物理構成上での情報に変換してデバイス依存吸収機能部４５０に伝達、又、デバイス依存吸収機能部４５０からの物理構成上での情報を管理モデル上の情報に変換して管理モデル機能部４３０に伝達する機能を有する。
【００５３】
デバイス依存吸収機能部４５０は、デバイスによる違いを吸収するための機能部である。すなわち、各物理構成を実現するデバイスは製造メーカ等が異なると、デバイスの制御コマンド等が異なるが、デバイス依存吸収機能部４５０は、このデバイスによる違いを吸収して、物理構成依存吸収機能部４４０より上位の機能ブロックにおいて、製造メーカ等のデバイス依存の情報を見えないようにする。具体的には、物理構成依存吸収機能部４４０からの物理構成上での情報を各種デバイス固有の情報に変換して各種デバイス４６０を制御して、又、デバイス４６０からの情報を、物理構成上の情報に変換して物理構成依存吸収機能部４５０に伝達する機能を有する。
【００５４】
図７Ｂを参照して、管理モデルを用いた際の光スイッチシステム４００の構成をより詳細に説明する。
【００５５】
管理モデル機能部４１０において各機能部別（１０、４０、５０、６０、７０、８０）の制御管理ブロックを有し、制御機能部４２０では管理モデル機能部４３０の各機能部の機能ブロックに対して制御管理を行うことで、光スイッチシステム４００の制御管理を実現する。そして、管理モデル機能部４３０の各機能ブロックは、物理構成依存吸収部４４０に対して制御管理を行う。
【００５６】
このような構成にすることで、光スイッチシステム４００の構成、機能、デバイスが異なっても、制御機能部４２０、及び、管理モデル機能部４３０は同一となり、設計・製造コストを抑えることができる。
【００５７】
以上のように光スイッチシステムに管理モデルを適用して、光スイッチシステムを制御機能部４２０、管理モデル機能部４３０、物理構成依存吸収機能部４４０を有する構成にすることで、光スイッチシステムの制御管理を行う制御機能部４２０、管理モデル機能部４３０を、様々な光スイッチシステムに対しても同じにすることができる。この為、光スイッチシステムの構成・機能・制御が変更されても、同一の光スイッチシステムの制御管理を実現でき、光スイッチシステムの設計・製造のコスト削減と時間短縮を実現することができる効果を奏する。
【００５８】
[光スイッチシステム動作例]
以下、図８を参照して、本発明に係る管理モデルを適用した場合の、光スイッチシステム４００における設定制御手順の一例としての光パス設定手順の例を説明する。図８は、ノード管理制御部５００から光パス設定要求を受信した際、各制御部がどのような手順で制御を行うかを記載したシーケンス図である。各ステップについての詳細は以下の通りである。
【００５９】
ステップ１）ノード管理制御部５００から送信された光パス設定コマンドをIF機能部４１０で受信して、制御機能部４２０へ光パス設定要求を行う。
【００６０】
ステップ２）制御機能部４２０において、光パス設定コマンドから、管理モデル機能部４３０のどの機能ブロックへの制御が必要かを判別する。例えば、
（ア）「入力方路→出力方路」の設定であれば、方路切替SW(分岐)機能５０と方路切替SW(合流)機能６０への制御；
（イ）「入力方路→受信ポート」の設定であれば、方路切替SW(分岐)機能５０と波長割当SW（分岐) 機能７０への制御；
（ウ）「送信ポート→出力方路」の設定であれば、方路切替SW(合流)機能６０と波長割当SW（合流) 機能８０への制御；
（エ）「入力方路→XC用出力方路」の設定であれば、方路切替SW(分岐)機能５０のみの制御；
（オ）「XC用入力方路→出力方路」の設定であれば、方路切替SW(合流)機能６０のみの制御；
のように、制御機能部４２０により、指定された入出力ポートから、どの論理依存制御部（管理モデル機能部４３０における機能ブロック）を制御すれば良いかが特定される。
【００６１】
適用例１〜５全てにおいて、管理モデル上のどの機能に対して制御を行う必要があるかは、指定した入出力ポート情報から判別できる。
【００６２】
図８に示す例では、機能ブロックＡと機能ブロックＢへの制御を行う場合を示している。
【００６３】
ステップ３）制御機能部４２０で保持している光パス設定情報に基づき、要求された光パス設定が可能か否か（接続可能な組み合わせか、既に他の光パスに使用されていないか等）を判別する。
【００６４】
ステップ４）制御機能部４２０から、ステップ２で抽出した制御が必要な管理モデル機能部４３０の機能ブロックに対して、光パス設定を要求する。本例では、機能ブロックＡと機能ブロックＢのそれぞれに対して制御を行うことが示されている。
【００６５】
ステップ５）管理モデル機能部４３０の各機能ブロックでは、制御機能部４２０からのパス設定要求から、その機能ブロックで設定すべき入出力ポート番号に変換する。
【００６６】
ステップ６）管理モデル機能部４３０の各機能ブロックにおいて、保持している光パス設定情報に基づき、設定要求された入出力ポート間で設定可能か否か（接続可能な組み合わせか、既に他の光パスに使用されていないか等）を判別する。
【００６７】
ここでは、適用例2 のようにカラーレス機能が無い場合、波長割当SW（分岐/合流)機能部７０、８０における入出力ポート間の接続を、光パスの波長によって限定させる。接続不可能な入出力ポート間の要求の場合は、ここで接続不可能として処理する。
【００６８】
ステップ７）管理モデル機能部４３０から、物理構成依存吸収機能部４４０に光パス設定要求を行う。この際、ステップ５で変換した各機能部の入出力ポート番号を用いて要求する。
【００６９】
ステップ８）物理構成依存吸収機能部４４０において、受信した光パス設定要求から、該当機能部の物理構成を考慮し、設定すべき光デバイスと、その光デバイスの入出力ポート番号を抽出する。
【００７０】
ここで、抽出したデバイスがパッシブデバイスの場合、ステップ９、１０の処理を行わずに、ステップ１１へ進む（物理構成依存吸収機能部４４０からＡＣＫ送出）。例えば、抽出したデバイスが、適用例２の波長割当SW（分岐/合流)機能７０、８０として使用されるAWGや、適用例3の方路切替SW(分岐)機能５０として使用される光カプラである場合が該当する。
【００７１】
また、ステップ８で、抽出したデバイスが2つ以上の場合、ステップ９、１０の処理をそれぞれのデバイスに対して行う。これは、例えば、適用例４の波長割当SW（分岐/合流)機能７０、８０として、それぞれ 1x9 WSS と 9x1 WSS が抽出された場合に該当する。
【００７２】
ステップ９）物理構成依存吸収機能部４４０から、デバイス依存吸収機能部４５０に光パス設定要求を行う。
【００７３】
ステップ１０）デバイス依存吸収機能部４５０において、接続している光デバイス固有の要求信号を生成して、該当する光デバイスに対してSW設定要求（デバイス制御）を行う。ここでは、1x9 WSS 等の光デバイスにおいて、その製造メーカ固有の光デバイスを制御する通信に変換してデバイス制御を行う。
【００７４】
ステップ１１）SW設定完了後、ACKの通知を行う。
【００７５】
ステップ１２）各機能ブロックに関するACKを受信した制御機能部４２０において、光パス設定情報を更新する。
【００７６】
ステップ１３）制御機能部４２０からノード管理制御部５００にACK通知を行う。
【００７７】
以上のように光スイッチシステム４００に管理モデルを適用して、光スイッチシステム４００を制御機能部４２０、管理モデル機能部４３０、物理構成依存吸収機能部４４０を有する構成にすることにより、適用例１〜５のように光スイッチシステムの構成・機能が異なる場合でも、制御機能部４２０は同一、管理モデル機能部４３０も入出力ポート情報のみが異なるのみで他の処理は全て同一となる。このように、光スイッチシステムの構成・機能・制御が変更されても、同一の光スイッチシステムの制御管理を実現でき、光スイッチシステムの設計・製造のコスト削減と時間短縮を実現することができる効果を奏する。
【００７８】
なお、制御機能部４２０、管理モデル機能部４３０、物理構成依存吸収機能部４４０を含む光スイッチ制御部（制御手段）は、CPU、及びメモリ等の記憶手段を備えるコンピュータに、上述した制御処理を行うためのプログラムを実行させることにより実現できる。また、光スイッチ制御部（制御手段）は、ハードウェアのロジック回路を用いて実現することもできる。
【００７９】
（実施例３）
本実施例では、光スイッチシステムにモニタ機能を含む場合について説明する。図９は方路数Ｍ（＝３）、カラーレス機能有りの光ノードにおいて、各方路毎に光スイッチシステムを用いた場合の構成を示している。適用例１と異なる点は、適用例１の光スイッチシステムに、光パス信号の測定用にOCM(光チャネルモニタ)を含んでいる点である。この場合、光ノード管理モデルとしては、方路切替SW(分岐)機能部５０、方路切替SW(合流)機能部６０、波長割当SW（分岐）機能部７０、波長割当SW（合流）機能部８０として管理制御を行う他に、OCMをモニタ機能部４０として管理する。以下詳細を説明する。
【００８０】
実施例３における光スイッチシステムの光スイッチ制御部の構成としては、管理モデル機能部４３０にモニタ機能ブロックを含む構成となる（図７B参照）。制御機能部４２０からはこの管理モデル機能部４３０のモニタ機能ブロックに対して制御を行う。管理モデル機能部４３０におけるモニタ機能部ブロックでは、管理モデル上でのモニタ情報を管理する。
【００８１】
管理モデル上でのモニタ情報とは、モニタ点を管理モデルの機能部（５０、６０、７０、８０）の入出力ポートで規定した情報を指す。一例として、図９の光スイッチシステムにおける管理モデル上でのモニタ情報を、図１０に図示する。
【００８２】
図４を参照して説明したとおり、管理モデルの機能部としては方路切替SW(分岐)機能部５０、方路切替SW(合流)機能部６０、波長割当SW（分岐）機能部７０、波長割当SW（合流）機能部８０が存在し、その入出力ポートとしては入力方路、出力方路、XC用入力方路、XC用出力方路、分岐用入力方路、分岐用出力方路、挿入用入力方路、挿入用出力方路、受信ポート、送信ポートが存在する。図１０に示すとおり、管理モデル上でのモニタ情報は、これらの入出力ポートにおけるモニタ情報（入力方路モニタ、出力方路モニタ、XC用入力方路モニタ、XC用出力方路モニタ、分岐用入力方路モニタ、分岐用出力方路モニタ、挿入用入力方路モニタ、挿入用出力方路モニタ、受信ポートモニタ、送信ポートモニタ）として保持する。また、モニタ情報は、ノード管理制御部５００に送信され、ノード管理制御部５００において、光ノードの制御に用いることができる。
【００８３】
尚、管理モデル機能部４３０のモニタ機能ブロックでは、管理モデル上のモニタ情報のみ管理を行い、管理モデルと物理構成やPD, OCM等の測定方法との変換は物理構成依存吸収依存部４４０で行い、PD, OCM等のデバイスの製造メーカによる違いはデバイス依存吸収依存部４５０で吸収する。
【００８４】
以上のように、管理モデル機能部４３０のモニタ機能ブロックにおいて、管理モデル上でのモニタ情報で管理することにより、様々な構成の光スイッチシステムに対して制御機能部４２０、管理モデル機能部４３０を同じにすることができる。この為、光スイッチシステムの構成・機能・制御が変更されても、同一の光スイッチシステムの制御管理を実現でき、光スイッチシステムの設計・製造のコスト削減と時間短縮を実現することができる効果を奏する。
（実施例４）
本実施例では、光スイッチシステム４００においてモニタ機能でモニタした情報を基に、他のデバイスを制御する場合について説明する。ここでは、モニタ機能でモニタした情報を基に他のデバイスを制御する例として、ノードから出力される波長多重信号の各波長の光パワーレベルが均一になるように、方路切替SW(合流)機能部６０の出力ポート（出力方路）位置での各光パス信号の光パワーレベル情報を基に、方路切替SW(合流)機能部６０において光パワーレベルの調整を行うことを例にあげて説明する。
【００８５】
まず、管理モデル機能部４３０のモニタ機能ブロックにおいて出力方路位置での各光パス信号の光パワーレベルを取得する。すなわち、デバイスとしてOCMを用いる場合、OCMで検知した各光パス信号のパワーレベル情報をデバイス依存吸収機能部４５０を経て、物理構成依存吸収部４４０に通知する。そして、物理構成依存吸収部４４０では、その通知された情報が出力方路位置（図１０に示す例での、出力方路ｄ）での情報であることを加えて管理モデル機能部４３０に通知する。
【００８６】
次に、制御機能部４２０では、管理モデル機能部４３０から出力方路位置での光パス信号のパワーレベルを取得して、パワーレベルの目標値と比較して目標値に近づくように、管理モデル機能部４３０の方路切替SW(合流)機能部６０に対して光パス信号に対する減衰量の調整の指示を行う。そして、方路切替SW(合流)機能部６０では、指定された減衰量に基づき、光パス信号の減衰を行う。
【００８７】
これらの一連の処理において、光パワーレベルを一定にする制御は制御機能部４２０で行っており、しかも、この制御は管理モデル上で行うものであり物理構成に依存しない。  尚、制御については本例に限らず、波長数に応じて光アンプを制御する等も同様にして実現できる。
【００８８】
このように、管理モデル機能部４３０のモニタ機能ブロックでのモニタ情報を基に、制御機能部４２０において管理モデル機能部４３０の別の機能ブロックに対して制御を行うことにより、様々な構成の光スイッチシステムに対しても制御機能部４２０、管理モデル機能部４３０を同じにすることができる。この為、光スイッチシステムの構成・機能・制御が変更されても、同一の光スイッチシステムの制御管理を実現でき、光スイッチシステムの設計・製造のコスト削減と時間短縮を実現することができる効果を奏する。
【００８９】
（実施例５）
本実施例では、光スイッチシステム４００の制御において、光スイッチシステム４００内部の制御シーケンスの管理制御を管理モデル上で行う方法を説明する。  
図７Bに記載の管理モデルを適用した光スイッチシステム４００の構成において、光スイッチシステム４００内部の制御シーケンスの管理制御は制御機能部４２０で行う。そして、図８の光パス設定手順において、制御シーケンスは、制御機能部４２０のステップ２の処理において確定する。
【００９０】
具体的には、ステップ２において、どの管理モデル機能部４３０の機能ブロックへの制御を行うかを確定させ、どの機能ブロックに対してどのような順番で制御するかもステップ２で確定させる。そして、確定した順番で各機能ブロックに対してステップ４の処理を行う。
【００９１】
図８の光パス設定手順の制御機能部４２０のステップ２の処理において、光パス設定要求コマンドからどの管理モデル機能部４３０の機能ブロックに制御を行うかを解析することは実施例２と同一である。しかし、どの機能ブロックに対してどのような順番で制御するかは様々な方法があり、本実施例ではその順序をテーブル化して制御機能部４２０の記憶手段に保持する方法を用いている。
【００９２】
つまり、光スイッチシステム４００において光パス設定を行う際、ステップ２において、上記テーブルを参照して、どの順番でステップ４の制御を行うかを確定させる。図１１（ａ）、（ｂ）は、図１２に示す光スイッチシステムを前提とした場合におけるテーブルの一例を示す図である。
【００９３】
図１１（ａ）、図１１（ｂ）ともに、光パス設定要求コマンド毎に、制御対象の機能ブロックを示すととともに、制御対象の機能ブロックが複数である場合には、その順番も示している。例えば、図１１（ａ）では、入力方路ａから受信ポートｅへのパス設定コマンドでの制御対象は、方路切替SW(分岐)機能部５０と波長割当SW（分岐)機能部７０であり、方路切替SW(分岐)機能部５０を先に設定し、その後で波長割当SW（分岐)機能部７０を設定することを示している。また、図１１（ｂ）の例では、入力方路ａから受信ポートｅへのパス設定コマンドでの制御対象は、波長割当SW（分岐)機能部７０と方路切替SW(分岐)機能部５０であり、波長割当SW（分岐)機能部７０を先に設定し、その後で、方路切替SW(分岐)機能部５０を設定することを示している。
【００９４】
図１１（ａ）に示すシーケンスは、ＮＷ全体において光スイッチシステム、トランスポンダを、光パスの上流側から順番に制御する場合に該当する。又、図１１（ｂ）に示すシーケンスは、ＮＷ全体において光スイッチシステム、トランスポンダを、光パスの下流側から順番に制御する場合に該当する。
【００９５】
このように、光パスの設定シーケンスをテーブル化して制御機能部４２０に保持することにより、光スイッチシステムの機能・物理構成・デバイスに依存せずに、管理モデル上で光スイッチシステムの制御シーケンスを設計でき、実装することができる。そして、シーケンスが変更されてもテーブルの変更だけで済み、簡単にシーケンスの変更が実現できる。つまり、NW運用形態に依存する制御機能の変更を最小限に抑えることができ、光スイッチシステムの設計・製造を低コスト・短期間で実現できる効果を奏する。さらに、NW運用形態が変更された場合、従来では、光スイッチシステムの再設計・再製造が必要であったが、テーブルを外部から変更することで、NW運用形態に応じて光スイッチシステムの機能・制御を変更でき、再設計・再製造を行うことなくNW運用形態を変更できる効果を奏する。
【００９６】
（実施例６）
本実施例では、光スイッチシステム４００の制御において、光スイッチシステム４００の設定状態遷移条件の管理制御を管理モデル上で行う方法を説明する。  
図７Ｂには、管理モデルを適用した光スイッチシステム４００の構成を記載しているが、本構成において光スイッチシステム４００の設定状態管理は制御機能部４２０で行う。又、図８に光パス設定手順を記載しているが、光スイッチシステム４００の設定状態の遷移の可否は、制御機能部４２０のステップ３において行う。このように、管理モデルを適用した光スイッチシステム４００においては、設定状態管理と状態遷移の可否は制御機能部４２０で行う。そして、状態遷移の条件をテーブル化して制御機能部４２０の記憶手段に保持して、光スイッチシステム４００における光パス設定の際の制御機能部４２０のステップ３において、このテーブルを参照して状態遷移可の条件が満たされるか否かを判定して、条件が満たされていればステップ４以降の処理を行う。
【００９７】
以下テーブルの具体例を説明する。適用例１の光スイッチシステム（図１２に示す光スイッチシステムを参照）において、光パス設定要求には波長毎に以下のパターンがある。
【００９８】
（１）入力方路a →  XC用出力方路b  (a →b  と記載)
（２）XC用入力方路c →  出力方路d  (c →d  と記載)
（３）入力方路a →  受信ポートe (a →e  と記載)
（４）送信ポートf →  出力方路d  (f →d  と記載)
尚、a,b,c,d,e,f  はポート番号をあらわすパラメータであるが、適用例１の光スイッチシステムでは、aとd の値は１種類のみである。
【００９９】
そして、この光パス設定要求の各パターンのそれぞれに対して、設定が可能な条件をテーブルとして作成し、当該テーブルを制御機能部４２０に保持し、ステップ３で参照する。そのテーブルの一例を図１３(a)、(b) に示す。尚、図１３の(a) は、双方向パスでの運用のみを想定して、片方向パスの設定を不可とする場合の状態遷移条件、図１３の(b) は片方向パスでの運用も想定して、片方向パスの設定を可とする場合の状態遷移条件を記載している。もちろん、ここで示したものは一例に過ぎず、他にも運用形態に応じて様々な状態遷移条件を記載することが可能である。
【０１００】
このように、光パスの設定状態の遷移条件をテーブル化して制御機能部４２０に保持することにより、管理モデル上で遷移条件を管理でき、光スイッチシステムの機能・物理構成・デバイスに依存しないで遷移条件の設計を行うことができる。そして、さらに、遷移条件が変更されてもテーブルの変更だけで済み、簡単に遷移条件の変更が実現できる。つまり、NW運用形態に依存する制御機能の変更を最小限に抑えることができ、光スイッチシステムの設計・製造を低コスト・短期間で実現できる効果を奏する。さらに、NW運用形態が変更された場合、従来では、光スイッチシステムの再設計・再製造が必要であったが、テーブルを外部から変更することで、NW運用形態に応じて光スイッチシステムの機能・制御を変更でき、再設計・再製造を行うことなくNW運用形態を変更できる効果を奏する。
【産業上の利用可能性】
【０１０１】
本発明は、フォトニックＮＷにおける光ノードを構成する光スイッチシステムの管理制御に適用できる。
【０１０２】
本発明は、上記の実施の形態に限定されることなく、特許請求の範囲内において、種々変更・応用が可能である。
【符号の説明】
【０１０３】
１  光アンプ
２  送信機
３  受信機
４  光カプラ
５  1x9 WSS
６  9x1 WSS
１０  アンプ機能部
２０  送信機能部
３０  受信機能部
４０  モニタ機能部
５０  方路切替SW(分岐)機能部
６０  方路切替SW(合流)機能部
７０  波長割当SW（分岐）機能部
８０  波長割当SW（合流）機能部
１００、２００、３００  光ノード
１０１、２０１、２０２、２０３、３１０、４００、４０１、４０２  光スイッチシステム
１１０、２１０  ノード管理制御部
１１１、２１１、２１２、２１３  光スイッチ制御部
４１０  IF機能部
４２０  制御機能部
４３０  管理モデル制御部
４４０  物理構成依存吸収機能部
４５０  デバイス依存吸収機能部
４６０  デバイス
５００  ノード管理制御部
５１０  ＩＦ機能部
【図１】
0005634136.tif 000002
【図２】
0005634136.tif 000003
【図３Ａ】
0005634136.tif 000004
【図３Ｂ】
0005634136.tif 000005
【図４】
0005634136.tif 000006
【図５】
0005634136.tif 000007
【図６Ａ】
0005634136.tif 000008
【図６Ｂ】
0005634136.tif 000009
【図６Ｃ】
0005634136.tif 000010
【図６Ｄ】
0005634136.tif 000011
【図６Ｅ】
0005634136.tif 000012
【図７Ａ】
0005634136.tif 000013
【図７Ｂ】
0005634136.tif 000014
【図８】
0005634136.tif 000015
【図９】
0005634136.tif 000016
【図１０】
0005634136.tif 000017
【図１１】
0005634136.tif 000018
【図１２】
0005634136.tif 000019
【図１３】
0005634136.tif 000020